(57)【要約】【課題】  本発明は化粧料が装填された中皿を収納し保護するレフィル容器及び化粧品に関し、小型化を図りつつ外力に対し中皿を確実に保護することを課題とする。【解決手段】  レフィル容器１０Ａは、装着部２０と、係合部２１と、折り返し部２２とを有する。装着部２０は、中皿１１を装着されると共に装着状態において化粧料１２の露出面１５と対向しこれを保護する蓋部２４と、前記装着状態において中皿底面１３が露出された状態で中皿１１を保持する保持部２３とを有する。係合部２１は、中皿１１と係合することにより装着部２０からの中皿１１の離脱を防止する。折り返し部２２は、保持部２３から連続して折り返すように形成されている。更に、折り返し部２２の端部２７にこの端部２７より突出する突出部３０Ａを設けると共に、指掛け部２８を形成することにより装着部２０に弾性変形部３１を形成する。【選択図】  図１
2006218032.tif 000002
【特許請求の範囲】
【請求項１】
化粧料が装填された中皿の該化粧料の露出した露出面を覆うよう前記中皿に装着される構成とされており、装着状態において前記露出面と対向しこれを保護する蓋部と、前記装着状態において前記中皿の底面が露出された状態で該中皿を保持する保持部とを有する装着部と、
前記中皿が前記装着部に装着された状態において前記中皿と係合し、前記装着部からの前記中皿の離脱を防止する係合部と、
前記保持部の外周位置に、該保持部から連続して折り返すように形成された折り返し部とを具備するレフィル容器であって、
前記折り返し部の端部に、該端部より突出する突出部を設けたことを特徴とするレフィル容器。
【請求項２】
請求項１記載のレフィル容器において、
前記保持部及び前記折り返し部に窪み部を形成したことを特徴とするレフィル容器。
【請求項３】
請求項１または２記載のレフィル容器において、
前記窪み部から前記中皿が露出するよう構成とすると共に、前記窪み部を介して前記中皿を把持しうる形状としたことを特徴とするレフィル容器。
【請求項４】
請求項１乃至３のいずれか１項に記載のレフィル容器において、
前記装着部の前記窪み部の配設面と異なる面に、外側に向け延出し前記中皿を前記装着部から取り外す際に把持されるつまみ部を形成したことを特徴とするレフィル容器。
【請求項５】
請求項１乃至４のいずれか１項に記載のレフィル容器において、
前記装着部は、アモルファス−ポリエチレンテレフタレート、再生アモルファス−ポリエチレンテレフタレート、ポリエチレンテレフタレート、ポリスチレン、ポリプロピレン、ポリカーボネート及び塩化ビニル樹脂からなる群から選択される一の樹脂により形成されていることを特徴とするレフィル容器。
【請求項６】
請求項１乃至５のいずれか１項に記載のレフィル容器に中皿を収納したことを特徴とする化粧品。
【請求項７】
請求項６記載の化粧品において、
前記中皿の側面に前記係合部と係合する係合溝を形成したことを特徴とする化粧品。
【発明の詳細な説明】
【技術分野】
【０００１】
本発明はレフィル容器及び化粧品に係り、特に化粧料が装填された中皿を収納し保護するレフィル容器及び化粧品に関する。
【背景技術】
【０００２】
一般に、ファンデーション等の粉末化粧料或いは固形化粧料（以下、単に化粧料という）用のコンパクト容器は、化粧料が装填された中皿を内部に装着する構成とされている。そして、中皿内の化粧料を使い切った場合、新たに化粧料が装填された中皿を購入し、使用後の中皿と交換することにより、経済性・利便性を図る構成となっている。
【０００３】
このため、化粧料は中皿に装填された状態で販売される。しかしながら、単に中皿に化粧料が装填された状態のままで出荷・販売されると、その過程において化粧料が中皿から飛散するおそれがある。このため、化粧料が装填された中皿は、レフィル容器に収納された上で出荷・販売されることが行われている。
【０００４】
図１０及び図１１は、本出願人が先に出願した特許文献１に開示されたレフィル容器１００を示している。レフィル容器１００は、各図に示すように、大略すると装着部１２０，係合部１２１，及び折り返し部１２２等により構成されている。装着部１２０は、化粧料１１２が装填された中皿１１１を装着する部位であり、概略的に見て有底形状とされている。この装着部１２０は、保持部１２３，蓋部１２４，段部１２５等を有した構造とされている。
【０００５】
保持部１２３は、中皿１１１を装着した装着状態において中皿１１１の側面と対峙するよう構成されている。この保持部２３には、内側に向け突出した係合部１２１が形成されている。また、中皿１１１の側面には係合溝１１４が形成されており、係合溝１１４が係合部１２１と係合することにより、中皿１１１は装着部１２０内に保持される。
【０００６】
蓋部１２４は平面視した状態において保持部１２３に対して若干小さな面積を有しており、よって蓋部１２４と保持部１２３との間には段部１２５が形成されている。また、蓋部１２４は段部１２５から突出しており、よって中皿１１１が装着状態にあるとき、蓋部１２４は化粧料１１２の外部に露出した露出面１１５と離間対向するよう構成されている。これにより、化粧料１１２の露出面１１５は蓋部１２４により保護される。
【０００７】
折り返し部１２２は保持部１２３の外周の略全周にわたり形成されており、保持部２３から連続して折り返すように成形されている。よって、この折り返し部１２２内には凹部１２６が形成される。また、折り返し部１２２の所定位置には、窪み形状とされた指掛け部１２８が形成されている。この指掛け部１２８を設けることにより、中皿１１１のレフィル容器１００からの取り出しを容易に行うことができる。
【０００８】
上記のように本実施例によるレフィル容器１００は、保持部１２３の外周縁に折り返し部１２２を形成しているため、保持部１２３の強度を高めることができる。また、中皿１１１に対して側面方向から外力が印加されても、折り返し部１２２が変形することによりこれを吸収することができ、中皿１１１の保護を確実に行うことができる。
【特許文献１】特開２００２−１１９３２６号公報
【発明の開示】
【発明が解決しようとする課題】
【０００９】
上記の特許文献１に記載されたレフィル容器１００によれば、小型化を図りつつ中皿１１１を保護することができる。即ち、上記した従来構成のレフィル容器１００では、その側面方向から印加された外力（図１１に矢印Ｆ１で示す方向に印加される外力。以下、側面方向外力という）に対しては、折り返し部１２２が弾性変形することにより側面方向外力Ｆ１は緩衝されるため、中皿１１１に大きな衝撃が印加されるのを防止することができる。
【００１０】
しかしながら、中皿１１１の露出面１１５に対向する方向に印加される外力（例えば、図１１に矢印Ｆ２で示す方向に印加される外力。以下、平面方向外力という）に対しては、レフィル容器１００では十分に平面方向外力Ｆ２を緩衝することができず、化粧料１１２の露出面１１５に亀裂や飛びが発生してしまうという問題点があった。
【００１１】
これを防止するためには、中皿１１１を完全に覆うようなレフィル容器を作成し、平面方向外力Ｆ２を緩衝しうる緩衝材或は緩衝機構を設けることが考えられる。しかしながら、この構成ではレフィル容器が複雑化すると共に高コスト化してしまい、中皿１１１をコンパクト容器等に装着した後は廃棄されるレフィル容器において現実的ではない。
【００１２】
本発明は上記の点に鑑みてなされたものであり、小型化を図りつつ外力に対し中皿を確実に保護することができるレフィル容器及び化粧品を提供することを目的とする。
【課題を解決するための手段】
【００１３】
上記の課題を解決するために本発明では、次に述べる各手段を講じたことを特徴とするものである。
【００１４】
請求項１記載の発明は、
化粧料が装填された中皿の該化粧料の露出した露出面を覆うよう前記中皿に装着される構成とされており、装着状態において前記露出面と対向しこれを保護する蓋部と、前記装着状態において前記中皿の底面が露出された状態で該中皿を保持する保持部とを有する装着部と、
前記中皿が前記装着部に装着された状態において前記中皿と係合し、前記装着部からの前記中皿の離脱を防止する係合部と、
前記保持部の外周位置に、該保持部から連続して折り返すように形成された折り返し部とを具備するレフィル容器であって、
前記折り返し部の端部に、該端部より突出する突出部を設けたことを特徴とするものである。
【００１５】
上記発明によれば、折り返し部の端部に突出部を設けたことにより、レフィル容器に前記露出面と対向する方向に外力が印加されても、この突出部を支点として装着部及び／或は折り返し部が弾性変形し、外力を緩衝させることができる。これにより、中皿に装填された化粧料を確実に保護することができる。また、単に折り返し部の端部に突出部を設けただけの構成で化粧料の保護を行えるため、レフィル容器の構成の簡単化及び低コスト化を図ることができる。
【００１６】
また、請求項２記載の発明は、
請求項１記載のレフィル容器において、
前記保持部及び前記折り返し部に窪み部を形成したことを特徴とするものである。
【００１７】
上記発明によれば、保持部及び折り返し部に窪み部が形成されているため、この窪み部の形成位置は他の部位に比べて弾性変形が発生し易くなる。このため、レフィル容器に対して前記露出面と対向する方向に外力が印加されたとしても、前記突出部を支点として窪み部の形成位置が他の部位に比べて先に弾性変形するため、急激な外力の印加であってもこれを確実に緩衝することができる。
【００１８】
また、請求項３記載の発明は、
請求項１または２記載のレフィル容器において、
前記窪み部から前記中皿が露出するよう構成とすると共に、前記窪み部を介して前記中皿を把持しうる形状としたことを特徴とするものである。
【００１９】
上記発明によれば、窪み部に外力印加時においてこれを緩衝させる機能と、外力が印加されない通常時においては中皿を取り出すための把持部としての機能を持たせることができる。
【００２０】
また、請求項４記載の発明は、
請求項１乃至３のいずれか１項に記載のレフィル容器において、
前記装着部の前記窪み部の配設面と異なる面に、外側に向け延出し前記中皿を前記装着部から取り外す際に把持されるつまみ部を形成したことを特徴とするものである。
【００２１】
上記発明によれば、弾性変形し易い窪み部の配設面と異なる面につまみ部を形成したことにより、中皿を装着部から取り外すためにつまみ部を把持して操作した際、窪み部が弾性変形することにより、容易に中皿を装着部から取り外すことができる。
【００２２】
また、請求項５記載の発明は、
請求項１乃至４のいずれか１項に記載のレフィル容器において、
前記装着部は、アモルファス−ポリエチレンテレフタレート、再生アモルファス−ポリエチレンテレフタレート、ポリエチレンテレフタレート、ポリスチレン、ポリプロピレン、ポリカーボネート及び塩化ビニル樹脂からなる群から選択される一の樹脂により形成されていることを特徴とするものである。
【００２３】
また、請求項６記載の発明に係る化粧品は、
請求項１乃至５のいずれか１項に記載のレフィル容器に中皿を収納したことを特徴とするものである。
【００２４】
上記発明によれば、レフィル容器は外力の印加がされても化粧料が装填された中皿を確実に保護するため、化粧品としての品質の維持を図ることができる。
【００２５】
また、請求項７記載の発明は、
請求項６記載の化粧品において、
前記中皿の側面に前記係合部と係合する係合溝を形成したことを特徴とするものである。
【発明の効果】
【００２６】
上述の如く本発明によれば、外力が印加されても中皿を確実に保護することができると共に、中皿の化粧料の露出面を確実に保護することができる。
【発明を実施するための最良の形態】
【００２７】
次に、本発明を実施するための最良の形態について図面と共に説明する。
【００２８】
図１乃至図４は、本発明の一実施例であるレフィル容器１０Ａ及びこれを用いた化粧品４０を示している。化粧品４０は、レフィル容器１０Ａと中皿１１とにより構成されている。レフィル容器１０Ａは化粧料１２が内部に装填された中皿１１を収納し保持するものである。本実施例では、化粧料１２としてファンデーション等の粉末化粧料を用いた場合を例に挙げて説明する。
【００２９】
このレフィル容器１０Ａは、例えば真空成型法、インジェクション（射出成型）法、或は圧空成形法等を用いることにより樹脂を一体成型したものであり、また本実施例ではその材質として再生Ａ−ＰＥＴ（アモルファス−ポリエチレンテレフタレート）を用いている。再生Ａ−ＰＥＴは再生品でない新規な樹脂に比べて低コストであるため、再生Ａ−ＰＥＴを用いることによりレフィル容器１０Ａのコスト低減を図ることができる。また、リサイクルの推進及びごみ減量等の環境面にも対応することができる。
【００３０】
尚、本実施例では再生Ａ−ＰＥＴを用いているが、これに代えてＰＳ（ポリスチレン），ＰＰ(ポリプロピレン)，ＰＶＣ（塩化ビニル樹脂）等の他の材料を用いることも可能である。また、Ａ−ＰＥＴは透明であるが、レフィル容器１０Ａは必ずしも透明である必要はなく、半透明或いは不透明な構成としてもよい。
【００３１】
以下、レフィル容器１０Ａの具体的な構成について詳述する。
【００３２】
レフィル容器１０Ａは、大略すると装着部２０，係合部２１，及び折り返し部２２等により構成されている。装着部２０は、化粧料１２が装填された中皿１１を装着する部位であり、保持部２３，蓋部２４，段部２５等を有した構造とされている。
【００３３】
保持部２３は、図３に示ように、中皿１１を装着した状態（以下、装着状態という）において中皿１１の側面と対峙するよう構成されている。この保持部２３には、内側に向け（即ち、装着状態にある中皿１１に向け）突出した係合部２１が形成されている。
【００３４】
中皿１１の側面には係合溝１４が形成されており、中皿１１が装着部２０に装着された装着状態において、この係合溝１４は係合部２１と係合するよう構成されている。図３は、係合溝１４と係合部２１とが係合した状態を拡大して示す図である。同図に示すように、係合部２１が係合溝１４と係合することにより生じる係合力により、中皿１１は装着部２０内に装着され保持される。
【００３５】
また、中皿１１をレフィル容器１０Ａに装着する際、本実施例に係るレフィル容器１０Ａでは、単に中皿１１を保持部２３内に挿入するだけで中皿１１と係合部２１との係合を行うことができる。従って、中皿１１を装着部２０内に挿入する一つの動作で、中皿１１をレフィル容器１０Ａに装着することができるため、中皿１１をレフィル容器１０Ａに装着する作業は簡単化され、作業効率の向上を図ることができる。
【００３６】
蓋部２４は、平面視した状態において保持部２３に対して若干小さな面積を有した構成とされている（図２（Ａ）参照）。よって、蓋部２４と保持部２３との間には、段部２５が形成されている。この段部２５は、装着状態において中皿１１の上端部と対峙するよう構成されている。
【００３７】
よって、上記のように中皿１１の係合溝１４が係合部２１と係合し、かつ中皿１１の上端部が段部２５と当接することにより、中皿１１は装着部２０内に確実に収納され保持される。更に、中皿１１が装着状態にあるとき、蓋部２４は化粧料１２の外部に露出した露出面１５と対向するよう構成されている。よって、化粧料１２の露出面１５は蓋部２４により保護される。
【００３８】
折り返し部２２は、保持部２３の外周位置に形成されており、保持部２３から連続して折り返すように成形された部位である。よって、この折り返し部２２内には凹部２６が形成されている。このように、保持部２３の外周縁に折り返し部２２を形成することにより、保持部２３の強度を高めることができる。また、中皿１１に対して側面方向から外力が印加されても、折り返し部２２が変形することによりこれを吸収することができ、中皿１１の保護を確実に行うことができる。尚、本実施例でいう外力とは、中皿１１に対して瞬間的に力が印加される場合だけではなく、振動が連続的に印加されるような場合を含むものとする。
【００３９】
また、折り返し部２２の折り返し部分となる図中下方の端部２７には、本発明の要部を構成する突出部３０Ａが形成されている。この突出部３０Ａは、端部２７に対して下方に向けて所定量（図３に矢印Ｈで示す）だけ突出するよう構成されている。更に、折り返し部２２及び保持部２３の所定位置には、突出部３０Ａと共に本発明の要部をなす指掛け部２８（請求項に記載の窪み部に相当する）が形成されている。尚、この突出部３０Ａ及び指掛け部２８の機能については、説明の便宜上後述するものとする。
【００４０】
一方、装着部２０の指掛け部２８の配設面と異なる面にはつまみ部３２が設けられている。具体的には、本実施例では指掛け部２８が装着部２０の長辺側に設けられているため、つまみ部３２は装着部２０の短辺側に設けられている。
【００４１】
このつまみ部３２は、装着部２０の折り返し部２２から外側に向け延出するよう形成されている。また、つまみ部３２には縞状のエンボス加工が施されており、使用者に対してつまみ部３２の存在を明確に認知させると共に滑り止めとしての機能を奏している。
【００４２】
中皿１１を装着部２０から取り外すには、指掛け部２８を介して中皿１１を指で挟むようにして持ち、その上でつまみ部３２を把持して中皿１１から上方に引っ張り上げる。これにより、図２（Ａ），（Ｂ）に破線で示す部分（以下、弾性部３１という）が弾性変形し、よってレフィル容器１０から中皿１１を取り出す操作を容易かつ確実に行うことができる。
【００４３】
上記したように本実施例に係るレフィル容器１０Ａは、保護を最も必要とする化粧料１２の露出面１５を蓋部２４により保護し、中皿１１の中皿底面１３は露出された状態で保持する構成としている。このため、レフィル容器１０Ａでは小型化を図ることができると共にコスト低減を図ることができ、更に梱包時においては梱包箱の小型化を図ることができることにより梱包費用の低減も図ることができる。加えて、中皿１１のコンパクト容器に対する入れ替えが終了しレフィル容器１０Ａをゴミとして廃棄する時も、レフィル容器１０Ａが小型化することによりゴミの減量に寄与することができる。
【００４４】
尚、レフィル容器１０Ａは、装着状態において中皿１１の中皿底面１３は装着部２０から露出された状態となるが、前記のように化粧料１２の露出面１５は蓋部２４により保護されており、また中皿１１は樹脂製の皿体であるため、中皿底面１３が外部に露出していてもこれにより化粧料１２に劣化が生じるようなことはない。
【００４５】
ここで、突出部３０Ａ及び指掛け部２８に注目して以下説明する。
【００４６】
指掛け部２８は、折り返し部２２及び保持部２３に対向するよう一対形成されている。即ち、指掛け部２８は折り返し部２２及び保持部２３の長辺側にそれぞれ形成されており、かつ各指掛け部２８は対向するよう形成されている。
【００４７】
前記したように、装着状態において中皿１１の係合溝１４は係合部２１に係合されているが、中皿１１をレフィル容器１０Ａから取り出す時には、この指掛け部２８を介して直接中皿１１を把持し、中皿１１をレフィル容器１０Ａから引き抜く。この際、指掛け部２８を設けることにより、保持部２３の外周に折り返し部２２が形成されていても、中皿１１をレフィル容器１０Ａから容易に取り出すことができる。
【００４８】
一方、突出部３０Ａは、折り返し部２２の端部２７に一体的に突出するよう形成されている。この突出部３０Ａは、保持部２３の端部２７の全面に形成されているのではなく、ドーム状の突出部３０Ａが離間して複数個形成された構成とされている。具体的には、突出部３０Ａは、平面視した状態で略長方形状である装着部２０の四隅位置に形成されている。
【００４９】
従って、突出部３０Ａを下部に位置するようレフィル容器１０Ａを載置した場合、図３及び図４（Ａ）に示すように、端部２７は突出部３０Ａの載置面に対して寸法Ｈだけ浮いた状態となり、レフィル容器１０Ａは突出部３０Ａにのみ支持された構成となる。よって、レフィル容器１０Ａに対し化粧料１２の露出面１５と対向する方向に外力が印加された際、この突出部３０Ａを支点として装着部２０及び／或は折り返し部２２は弾性変形し、これにより外力を緩衝させることができる。即ち、装着部２０及び／或は折り返し部２２の弾性変形部分において、印加される外力を吸収することができる。
【００５０】
ところで、本実施例に係るレフィル容器１０Ａは、折り返し部２２及び保持部２３が存在する部位は剛性が高いため、突出部３０Ａを形成しても十分な緩衝効果を実現する程に装着部２０及び／或は折り返し部２２が弾性変形しないことが考えられる。しかしながら本実施例に係るレフィル容器１０Ａは、折り返し部２２及び保持部２３に対向するよう一対の指掛け部２８が形成された構成とされている。
【００５１】
この一対の指掛け部２８をレフィル容器１０Ａに形成することにより、蓋部２４の外周位置で指掛け部２８が形成された領域、即ち各図に破線で囲う領域は弾性変形し易い領域となる（以下、この領域を弾性部３１という）。尚、この弾性変形部３１の弾性変形のし易さは、指掛け部２８の形状により調整することができる。具体的には、指掛け部２８の形状を大きくすることにより弾性変形部３１は弾性変形しやすくなり、逆に指掛け部２８の形状を小さくすることにより弾性変形部３１は弾性変形し難くなる。
【００５２】
このように、指掛け部２８を形成することによりレフィル容器１０Ａに弾性変形部３１を形成することにより、中皿１１に装填された化粧料１２を確実に保護することができる。これについて、図４を用いて具体的に説明する。図４は、製造工場から出荷される状態の化粧品４０を示している。図４（Ａ）に示すように、出荷時においては、中皿１１が装着されたレフィル容器１０Ａを更に外箱３４内に装着する。本実施例で想定する外力は、特に化粧品４０を出荷し店舗まで搬送される間に印加される外力である。
【００５３】
図４（Ｂ）は、外箱３４に装着されたレフィル容器１０Ａに対し、外力Ｆが化粧料１２の露出面１５と対向する方向に印加された状態を示している。前記したように、外力Ｆが印加されると、レフィル容器１０Ａは突出部３０Ａを支点として弾性変形する。
【００５４】
この際、本実施例に係るレフィル容器１０Ａは、積極的に弾性変形しうる領域である弾性変形部３１（指掛け部２８）が設けてあるため、図４（Ｂ）に示すようにこの弾性変形部３１の形成位置は他の部位に比べて弾性変形が発生し易くなる。このため、レフィル容器１０Ａに対して外力Ｆが印加されたとしても、この外力Ｆは突出部３０Ａを支点として主に弾性変形部３１が変形することにより緩衝されて吸収されるため、中皿１１及びこれに装填された化粧料１２に損傷が発生することを確実に防止することができる。
【００５５】
また、前記のように突出部３０Ａ及び弾性変形部３１はレフィル容器１０Ａに一体的に形成することができ、また弾性変形部３１は中皿１１の取り出し時に中皿１１を把持するための指掛け部２８を利用して形成されているため、突出部３０Ａ及び弾性変形部３１を形成してもレフィル容器１０Ａの構成が複雑になるようなことはなく低コスト化を図ることができる。
【００５６】
図５は、上記した実施例に係るレフィル容器１０Ａの変形例を示している。上記した実施例では突出部３０Ａの形状をドーム状としたが、図５（Ｂ）に示す第１変形例であるレフィル容器１０Ｂは、突出部３０Ｂを峰状としたものである。また、図５（Ｃ）に示す第２変形例であるレフィル容器１０Ｃは、突出部３０Ｃを円錐形状としたものである。
【００５７】
このように、突出部３０Ａ〜３０Ｃの形状は種々考えられ、外力印加時にレフィル容器１０Ａが弾性変形し易い形状であれば形状が特定されるものではない。尚、図５において、図１乃至図４に示した構成と同一構成については、同一符号を付してその説明を省略している。
【００５８】
続いて、本実施例に係るレフィル容器１０Ａに対する外力印加時の緩衝吸収の評価を行った実験結果について説明する。図６は、本実施件において外力を印加した方向を説明する図である。前記したように、中皿１１に対して側方である同図中矢印Ｘ+，Ｘ-方向、及び矢印Ｙ+，Ｙ-方向に印加される外力は、折り返し部２２が変形することにより緩衝・吸収される。このため、以下説明する実験では、化粧料１２の露出面１５と対向する方向、即ち図６に矢印Ｚ+，Ｚ-方向に外力が印加された場合について評価を行った。
【００５９】
外力を印加する手段としては、周知の構造を有する振動試験機を用い、図４（Ａ）に示した状態のレフィル容器１０Ａ（化粧品４０）に対して振動を印加した。この時の振動印加条件としては、振動の周波数を１５Ｈｚとし、振幅を５ｍｍとした。また、この振動印加時における中皿１１の挙動を検出するため、中皿１１に装填された化粧料１２の露出面１５にセンサー４５を配設した。このセンサー４５は加速度センサー（例えば、Microstone社製のＭＡ-3シリーズを用いることができる）であり、図示しない測定ユニットに接続されている。
【００６０】
図８（Ａ）は、中皿１１を装着した本実施例に係るレフィル容器１０Ａに対し、振動試験機により振動をＺ+方向（図６参照）に印加した場合、センサー４５により検出される中皿１１のＺ+方向の加速度を示している。また図８（Ｂ）は、比較例として、中皿１１を装着した従来のレフィル容器１００（図１０参照）に対し、図８（Ａ）に示した実験条件と同一条件で振動試験機により振動をＺ+方向（図６参照）に印加し、センサー４５により中皿１１のＺ+方向の加速度を測定した結果を示している。
【００６１】
本実施例である図８（Ａ）の実験結果と、従来である図８（Ｂ）の実験結果とを比較すると、従来に比べて本実施例の方が、中皿１１に発生しているＺ+方向の加速度が約1/4〜1/5程度に減少していることが判る。
【００６２】
また図９（Ａ）は、中皿１１を装着した本実施例に係るレフィル容器１０Ａに対し、振動試験機により振動をＺ-方向（図６参照）に印加した場合、センサー４５により検出される中皿１１のＺ-方向の加速度を示している。また図９（Ｂ）は、比較例として、中皿１１を装着した従来のレフィル容器１００（図１０参照）に対し、図９（Ａ）に示した実験条件と同一条件で振動試験機により振動をＺ-方向（図６参照）に印加し、センサー４５により中皿１１のＺ-方向の加速度を測定した結果を示している。
【００６３】
本実施例である図９（Ａ）の実験結果と、従来である図９（Ｂ）の実験結果とを比較すると、本実験においても、従来に比べて本実施例の方が中皿１１に発生しているＺ-方向の加速度が約1/4〜1/5程度に減少していることが判る。従って、本実施例に係るレフィル容器１０Ａ及び化粧品４０によれば、外力が印加されても外力はレフィル容器１０Ａにおいて緩衝・吸収されるため、中皿１１に印加される振動を低減することができる。これにより、中皿１１の損傷や中皿１１に装填されている化粧料１２の飛散を防止することができ、中皿１１を確実に保護することができる。
【００６４】
尚、上記した実施例では化粧料１２として粉末化粧料を用いた例について説明したが、乳化ファンデーション等の気密性を必要とする化粧料１２に対しても本願発明に係るレフィル容器１０Ａ〜１０Ｃを適用することが可能である。この際、装着状態における中皿１１とレフィル容器１０Ａ〜１０Ｃとの気密性を向上させるため、段部２５の内側にパッキン，レーベル等を配設する構成とすることが望ましい。
【００６５】
また上記した実施例では、中皿１１の材質として樹脂を用いた例を述べたが、中皿１１の材質は樹脂に限定されものではなく、金属等の他の材質を用いることも可能である。また、中皿１１の形状は実施例に示した矩形状に限定されるものではなく、円形，楕円形，及びその他のあらゆる形状においても本願発明を適用することができる。
【００６６】
更に、エマルジョンパクトタイプの中皿を用いた場合には、中皿を気密封止する必要がある。しかしながら、中皿が装着されたレフィル容器を、例えばアルミラミネートフイルム，シリカ蒸着フィルム，エバール（商品名：ポリビニルアルコール−ポリエチレン重合体）フィルム等のガスバリアー製のある包材で包装することにより、エマルジョンパクトタイプの中皿を適用した場合であっても容易に気密性を保持することができる。
【図面の簡単な説明】
【００６７】
【図１】図１は、本発明の一実施例である化粧品及びレフィル容器を示す斜視図である。
【図２】図２は、本発明の一実施例であるレフィル容器を示しており、（Ａ）は平面図（本図では、突出部の形成側から見た図を平面図としている）、（Ｂ）は正面図、（Ｃ）は左側面図、（Ｄ）は右側面図である。
【図３】図３は、本発明の一実施例である化粧品及びレフィル容器の部分断面図である。
【図４】図４は、本発明の一実施例であるレフィル容器の外力印加時における弾性変形を説明目するための図であり、（Ａ）は弾性変形前の状態を示し、（Ｂ）は気筒変形後の状態を示している。
【図５】図５は、図１乃至図４に示したレフィル容器の変形例を説明するための図であり、（Ａ）は第１変形例に係るレフィル容器を示し、（Ｂ）は第２変形例に係るレフィル容器を示している。
【図６】図６は、本発明の一実施例であるレフィル容器の効果を実証する実験の条件を説明するための図である（その１）。
【図７】図７は、本発明の一実施例であるレフィル容器の効果を実証する実験の条件を説明するための図である（その２）。
【図８】図８は、本発明の一実施例であるレフィル容器の効果を実証する実験結果を示す図である。（その１）。
【図９】図９は、本発明の一実施例であるレフィル容器の効果を実証する実験結果を示す図である。（その２）。
【図１０】図１０は、従来の一例である化粧品及びレフィル容器を示す斜視図である。
【図１１】図１１は、従来の一例である化粧品及びレフィル容器の断面図である。
【符号の説明】
【００６８】
１０Ａ〜１０Ｃ  レフィル容器
１１  中皿
１２  化粧料
１３  中皿底面
２０  装着部
２１  係合部
２２  折り返し部
２３  保持部
２４  蓋部
２７  端部
２８  指掛け部
２９  空間部
３０Ａ〜３０Ｃ  突出部
３１  弾性変形部
３２  つまみ部
４０  化粧品
４５  センサー
【図１】
2006218032.tif 000003
【図２】
2006218032.tif 000004
【図３】
2006218032.tif 000005
【図４】
2006218032.tif 000006
【図５】
2006218032.tif 000007
【図６】
2006218032.tif 000008
【図７】
2006218032.tif 000009
【図８】
2006218032.tif 000010
【図９】
2006218032.tif 000011
【図１０】
2006218032.tif 000012
【図１１】
2006218032.tif 000013